【手続補正書】
【提出日】平成24年10月10日(2012.10.10)
【手続補正１】
【補正対象書類名】明細書
【補正対象項目名】００２９
【補正方法】変更
【補正の内容】
【００２９】
次に、本発明の実施例１〜６に各々対応する数値実施例１〜６を示す。各数値実施例において、ｉは物体側から数えた面の番号を示す。ｒｉは第ｉ番目の光学面（第ｉ面）の曲率半径である。ｄｉは第ｉ面と第（ｉ＋１）面との軸上間隔である。ｎｄｉ、νｄｉはそれぞれｄ線に対する第ｉ番目の光学部材の材料の屈折率、アッベ数である。広角（広角端）、中間（中間のズーム位置）、望遠（望遠端）について焦点距離、Ｆナンバー、半画角（度）を示している。また、非球面には面番号の横に＊の印を記す。近軸曲率半径をＲ、離心率をＫ、非球面係数をＡ２，Ａ４、Ａ６、Ａ８、Ａ１０とする。光軸からの高さｈの位置での光軸方向の変位を面頂点を基準にしてｘとするとき、非球面形状は、
Ｘ＝（Ｈ２／Ｒ）／［１＋｛１−（１＋Ｋ）（Ｈ／Ｒ）２｝１／２］＋Ａ２・Ｈ２＋Ａ
４・Ｈ４＋Ａ６・Ｈ６＋Ａ８・Ｈ８＋Ａ１０・Ｈ１０
で表わされる。なお、各非球面係数における「Ｅ±ＸＸ」は「×１０±ＸＸ」を意味している。また、各数値実施例における上述した条件式との対応を表１に示す。表２に各数値実施例における各レンズ群の焦点距離を示す。
【手続補正２】
【補正対象書類名】明細書
【補正対象項目名】００３０
【補正方法】変更
【補正の内容】
【００３０】
［数値実施例１］
広角     中間     望遠
焦点距離      18.63    62.47   271.55  
Fナンバー      3.10     4.85     5.88  
半画角（度）   36.25    12.33     2.88  
d 5            0.38    26.46    58.50  
d13           34.08    16.25     1.76  
d22            9.70     3.15     1.14  
面データ
面番号       r        d      nd         νd
1        126.641    1.35   1.74950    35.3           
2         58.919    8.72   1.49700    81.5           
3       -356.314    0.08                             
4         54.866    5.32   1.49700    81.5           
5        277.257  (可変)                             
6*        65.890    1.33   1.77250    49.6           
7         15.628    7.54                             
8        -38.780    0.98   1.81600    46.6           
9        108.366    0.15                             
10         29.465    4.79   1.84666    23.9           
11        -55.763    1.16                             
12        -30.342    0.97   1.77250    49.6           
13         73.952  (可変)                             
14(絞り)    ∞       0.66                             
15         30.615    2.86   1.48749    70.2           
16*       228.864    0.08                             
17         25.006    1.41   1.80809    22.8           
18         17.418    5.10   1.48749    70.2           
19        -72.689    1.10                           
20*       -80.758    1.66   1.75562    51.3           
21         14.380    3.78   1.74950    35.3           
22         53.947  (可変)                             
23*        40.952    4.45   1.60300    65.4           
24        -31.103    0.26                             
25         60.716    5.06   1.49700    81.5           
26        -21.561    2.07   1.84666    23.9           
27        -44.374    0.45                             
28        405.087    2.44   1.92286    18.9           
29        -58.212    1.32   1.88300    40.8           
30         28.655                              
非球面データ
第6面
K = 0.00000e+000  A 4= 8.85222e-008  A 6= 6.36381e-009  A 8=-2.73075e-011  A10=
5.61055e-014  
第16面
K = 0.00000e+000  A 4= 1.51665e-005  A 6=-2.49724e-009  A 8= 1.76128e-010  A10=
-6.89658e-013  
第20面
K = 0.00000e+000  A 4= 6.59751e-006  A 6=-1.85615e-008  A 8= 2.00223e-010  A10=
-7.17867e-013  
第23面
K = 0.00000e+000  A 4=-1.82328e-005  A 6= 1.65842e-008  A 8= 1.59532e-011  A10=
-1.19232e-013  
【手続補正３】
【補正対象書類名】明細書
【補正対象項目名】００３１
【補正方法】変更
【補正の内容】
【００３１】
［数値実施例２］
広角     中間     望遠
焦点距離      18.01    57.48   260.00  
Fナンバー      3.32     5.08     5.88  
半画角（度）   37.19    13.37     3.01  
d 5            0.38    19.26    46.57  
d13           32.66    14.87     1.98   
d22            7.83     3.77     1.65  
d27            2.52     3.36     0.45  
面データ
面番号       r        d      nd         νd
1         88.041    1.35   2.00330    28.3           
2         55.215    9.96   1.49700    81.5           
3       -508.198    0.08                             
4         48.889    5.21   1.60300    65.4           
5        206.674  (可変)                             
6*        83.941    1.33   1.77250    49.6           
7         15.573    8.03                             
8        -38.816    0.98   1.81600    46.6           
9         58.359    0.15                             
10         30.783    5.45   1.84666    23.9           
11        -41.568    1.14                             
12        -26.930    0.97   1.77250    49.6           
13        100.170  (可変)                             
14(絞り)    ∞       0.66                             
15         25.541    3.15   1.48749    70.2           
16*     -3012.970    0.10                             
17         35.087    1.47   1.84666    23.9           
18         22.820    3.80   1.49700    81.5           
19       -118.718  1.61                             
20*       -40.715    1.66   1.77250    49.6           
21         14.139    4.65   1.74950    35.3           
22        199.733  (可変)                             
23*        55.299    4.54   1.60300    65.4           
24        -30.787    0.96                             
25         44.500    5.47   1.48749    70.2           
26        -18.750    1.76   1.84666    23.9           
27        -38.586  (可変)                             
28        378.207    2.19   1.92286    18.9           
29        -68.510    1.27   1.88300    40.8           
30         31.634  
非球面データ
第6面
K = 0.00000e+000  A 4= 3.23962e-007  A 6= 4.07860e-009  A 8=-2.28206e-011  A10=
4.08809e-014  
第16面
K = 0.00000e+000  A 4= 1.38369e-005  A 6=-1.32457e-008  A 8= 4.90002e-010  A10=
-2.23123e-012  
第20面
K = 0.00000e+000  A 4= 9.96644e-006  A 6=-4.11960e-008  A 8= 5.14339e-010  A10=
-1.83818e-012  
第23面
K = 0.00000e+000  A 4=-1.38115e-005  A 6= 3.73660e-008  A 8=-4.30926e-011  A10=
1.79388e-013  
【手続補正４】
【補正対象書類名】明細書
【補正対象項目名】００３２
【補正方法】変更
【補正の内容】
【００３２】
［数値実施例３］
広角     中間     望遠
焦点距離      18.64    53.91   271.53  
Fナンバー      3.38     4.83     5.88  
半画角（度）   36.24    14.22     2.88 
d 5            0.38    24.88    58.67  
d13           38.80    20.94     2.22   
d22            8.30     4.35     1.17  
d27            0.44     1.80     0.55  
d30            3.89    30.92    51.39
面データ
面番号       r        d      nd         νd
1        120.744    1.35   1.74950    35.3           
2         58.787    8.47   1.49700    81.5           
3       -351.293    0.08                             
4         56.465    5.35   1.49700    81.5           
5        304.464  (可変)                             
6*       171.064    1.33   1.77250    49.6           
7         17.627    7.19                             
8        -58.477    0.98   1.77250    49.6           
9        102.821    0.15                             
10         27.251    4.85   1.84666    23.9           
11       -162.186    0.85                             
12        -64.955    0.97   1.77250    49.6           
13         42.113  (可変)                             
14(絞り)    ∞       0.66                             
15         25.377    2.39   1.48749    70.2           
16*        61.889    0.10                             
17         29.492    1.43   1.84666    23.9           
18         21.258    4.04   1.51633    64.1           
19        -64.743    1.44                             
20*       -37.299    1.66   1.59021    65.9           
21         23.037    2.13   1.74950    35.3           
22         44.101  (可変)                             
23*        40.145    4.43   1.60300    65.4           
24        -27.966    0.27                             
25         80.573    4.68   1.49700    81.5           
26        -21.423    1.67   1.84666    23.9           
27        -46.218  (可変)                             
28       -216.102    2.14   1.90933    19.6           
29        -50.235    1.24   1.81600    46.6           
30         29.372  (可変)                             
31      -10952.216    3.00   1.48749    70.2           
32        -60.605                            
非球面データ
第6面
K = 0.00000e+000  A 4=-3.94197e-007  A 6= 4.85327e-009  A 8=-1.66645e-011  A10=
1.50163e-014  
第16面
K = 0.00000e+000  A 4= 1.39928e-005  A 6=-1.72084e-009  A 8= 4.87058e-010  A10=
-2.19495e-012  
第20面
K = 0.00000e+000  A 4= 8.97550e-006  A 6=-1.37873e-008  A 8= 2.14476e-010  A10=
-9.73716e-013  
第23面
K = 0.00000e+000  A 4=-2.19370e-005  A 6= 1.08104e-008  A 8= 1.45068e-010  A10=
-8.03880e-013  
【手続補正５】
【補正対象書類名】明細書
【補正対象項目名】００３３
【補正方法】変更
【補正の内容】
【００３３】
［数値実施例４］
広角     中間     望遠
焦点距離      16.55    56.69   242.48  
Fナンバー      3.09     4.81     5.88  
半画角（度）   39.54    13.55     3.22 
d 5            0.38    27.21    58.52  
d13           32.28    14.46     1.47  
d22            9.90     3.52     1.19  
面番号       r        d      nd         νd
1        120.227    1.35   1.74950    35.3           
2         57.757   10.24   1.49700    81.5           
3       -404.565    0.08                             
4         54.940    5.43   1.49700    81.5           
5        294.621  (可変)                             
6*       103.279    1.33   1.77250    49.6           
7         14.738    7.76                             
8        -42.114    0.98   1.81600    46.6           
9         88.149    0.15                             
10         29.666    5.20   1.84666    23.9           
11        -57.905    0.91                             
12        -35.716    0.97   1.77250    49.6           
13         83.646  (可変)                             
14(絞り)    ∞       0.66                             
15         27.330    2.82   1.48749    70.2           
16*        77.059    0.26                             
17         24.746    2.09   1.78470    26.3           
18         16.506    4.70   1.48749    70.2           
19        -79.603    1.20                             
20*       -69.769    1.66   1.76291    51.2           
21         14.390    4.12   1.74950    35.3           
22         58.545  (可変)                             
23*        42.860    4.55   1.60300    65.4           
24        -31.400    0.43                             
25         58.262    5.54   1.49700    81.5           
26        -19.235    2.67   1.84666    23.9           
27        -35.997    0.45                             
28        218.765    2.77   1.92286    18.9           
29        -87.152    1.32   1.88300    40.8           
30         31.041  
非球面データ
第6面
K = 0.00000e+000  A 4= 7.39183e-007  A 6= 6.78728e-009  A 8=-3.00714e-011  A10=
1.61197e-014  
第16面
K = 0.00000e+000  A 4= 1.71917e-005  A 6=-4.70363e-009  A 8= 1.36153e-010  A10=
-7.17468e-014  
第20面
K = 0.00000e+000  A 4= 7.28701e-006  A 6=-1.50379e-008  A 8= 1.92961e-010  A10=
-6.25677e-013  
第23面
K = 0.00000e+000  A 4=-1.62695e-005  A 6= 2.24495e-008  A 8= 1.99040e-012  A10=
1.14234e-013  
【手続補正６】
【補正対象書類名】明細書
【補正対象項目名】００３４
【補正方法】変更
【補正の内容】
【００３４】
［数値実施例５］
広角     中間     望遠
焦点距離      18.54    63.03   271.54  
Fナンバー     3.27     4.99     5.88  
半画角（度）   36.38    12.23     2.88  
d 5            0.38    32.96    71.85  
d13           32.65    14.83     2.33  
d22           12.47     3.84     0.98  
面データ
面番号       r        d      nd         νd
1        131.604    1.35   1.74950    35.3           
2         65.291    7.37   1.49700    81.5           
3       -702.345    0.08                             
4         65.218    4.99   1.49700    81.5           
5        364.514  (可変)                             
6*        55.591    1.33   1.77250    49.6           
7         16.542    7.67                             
8        -43.193    0.98   1.81600    46.6           
9         78.106    0.05                             
10         29.420    4.52   1.84666    23.9           
11        -59.349    1.93                             
12        -26.265    0.97   1.77250    49.6           
13         87.916  (可変)                             
14(絞り)    ∞       0.66                             
15         35.405    2.64   1.48749    70.2           
16*      -137.713    0.01                             
17         30.763    1.44   1.80809    22.8           
18         20.416    4.69   1.48749    70.2           
19        -40.590    0.96                             
20*       -45.681    1.66   1.70000    48.1           
21         25.533    2.18   1.84666    23.8           
22         55.234  (可変)                             
23*       112.010    3.32   1.61800    63.3           
24        -34.365    0.20                             
25         93.454    4.35   1.49700    81.5           
26        -26.396    1.74   1.84666    23.9           
27       -171.723    1.00                             
28       -154.177    3.23   1.76200    40.1           
29        -30.530    0.45                             
30        126.548    2.96   1.84666    23.9           
31        -43.538    1.35   1.88300    40.8           
32         29.863  
非球面データ
第6面
K = 0.00000e+000  A 4= 1.46281e-006  A 6= 9.66485e-009  A 8=-4.57867e-011  A10=
1.57972e-013  
第16面
K = 0.00000e+000  A 4= 1.27772e-005  A 6= 2.23979e-008  A 8=-2.99813e-010  A10=
1.91078e-012  
第20面
K = 0.00000e+000  A 4= 5.92286e-006  A 6=-4.63496e-009  A 8= 3.19538e-011  A10=
-4.22086e-014  
第23面
K = 0.00000e+000  A 4=-2.11736e-005  A 6= 1.50553e-009  A 8=-5.32365e-011  A10=
3.02288e-013  
【手続補正７】
【補正対象書類名】明細書
【補正対象項目名】００３５
【補正方法】変更
【補正の内容】
【００３５】
［数値実施例６］
広角     中間     望遠
焦点距離      18.29    61.80   207.19  
Fナンバー      3.31     5.06     5.88  
半画角（度）   36.75    12.46     3.77  
d 5            0.38    26.36    55.66  
d13           32.52    12.53     0.97  
d22            7.52     3.06     2.04  
d29            1.57     2.00     0.45   
面データ
面番号       r        d      nd         νd
1        125.854    1.35   1.74950    35.3           
2         58.876    8.51   1.49700    81.5           
3       -341.062    0.08                             
4         55.551    4.51   1.49700    81.5           
5        292.313  (可変)                             
6*        74.376    1.33   1.77250    49.6           
7         16.082    7.80                             
8        -33.548    0.98   1.81600    46.6           
9        118.462    0.15                             
10         40.406    4.61   1.84666    23.9           
11        -41.718    1.25                             
12        -25.943    0.97   1.77250    49.6           
13       -393.081  (可変)                             
14(絞り)    ∞       0.66                             
15         29.124    2.63   1.48749    70.2           
16*       179.437    2.35                             
17         36.679    4.10   1.48749    70.2           
18        -29.192    1.44   1.66680    33.0           
19       -213.782    1.13                             
20*      -101.689    1.66   1.77085    49.3           
21         17.288    3.13   1.74950    35.3           
22         74.165  (可変)                             
23*        67.845    4.27   1.60300    65.4           
24        -28.620    0.28                             
25         73.950    5.06   1.49700    81.5           
26        -21.281    1.71   1.66680    33.0           
27       -298.678    0.00                             
28         69.998    3.20   1.48749    70.2           
29        -98.101  (可変)                             
30         77.140    2.84   1.84666    23.9           
31        -85.855    1.35   1.88300    40.8           
32         28.318  
非球面データ
第6面
K = 0.00000e+000  A 4= 3.52443e-006  A 6= 1.85345e-009  A 8=-2.69201e-011  A10=
9.22124e-014  
第16面
K = 0.00000e+000  A 4= 1.40188e-005  A 6= 1.45497e-008  A 8=-2.17178e-010  A10=
1.61108e-012  
第20面
K = 0.00000e+000  A 4= 5.27751e-006  A 6=-4.34088e-009  A 8= 1.41238e-010  A10=
-8.46623e-013  
第23面
K = 0.00000e+000  A 4=-1.18065e-005  A 6= 1.84074e-008  A 8=-1.87876e-010  A10=
1.00320e-012